(57)【要約】      （修正有）【課題】釜内の流体の流量を制御し、内釜の漏洩と浸出問題を解決できる流体の流量制御機構を提供する。【解決手段】内釜と釜カバーを備え、内釜１の底部にはエッジに近い所に、内釜排水口３が設けられ、内釜排水口の底部に、バルブ取付溝が設けられ、バルブ取付溝の内部にバルブモジュールが取り付けられ、釜カバーの内部空洞の底部にはエッジに近い所に、操作レバー可動穴が設けられ、操作レバー可動穴の右側に通水穴が設けられ、釜カバーの底部に中間仕切り板が設けられ、中間仕切り板の外壁且つ操作レバー可動穴の下側にモータが設けられ、モータには中間仕切り板に位置する出力軸の頂部に歯車が設けられ、歯車にラックがかみ合い伝動され、釜カバーモジュールにおける操作レバーを往復移動させることにより、バルブの開閉をコントロールし、内釜排水口を開閉して、釜内における流体の流量を制御する。【選択図】図１
0003220228.tif 000002
【実用新案登録請求の範囲】
【請求項１】
内釜（1）と釜カバー（2）を備え、前記内釜（1）の底部にはエッジに近い所に、内釜排水口（3）が設けられ、前記内釜（1）には内釜排水口（3）の底部に、バルブ取付溝（4）が設けられ、前記バルブ取付溝（4）の内部にバルブモジュール（5）が取り付けられ、前記釜カバー（2）の内部空洞の底部にはエッジに近い所に、操作レバー可動穴（6）が設けられ、前記操作レバー可動穴（6）の右側に釜カバーの通水穴（7）が設けられ、前記釜カバー（2）の底部に中間仕切り板（8）が設けられ、前記中間仕切り板（8）の外壁且つ操作レバー可動穴（6）の下側に位置する所に、モータ（9）が設けられ、前記モータ（9）には中間仕切り板（8）に位置する片側の出力軸の頂部に、歯車（10）が設けられ、前記歯車（10）にラック（11）がかみ合い伝動され、前記ラック（11）には釜カバー（2）の内部空洞に位置する片側に、操作レバー（12）が固設されていることを特徴とする釜内における流体の流量を制御する新型機構。
【請求項２】
中間仕切り板（8）には釜カバーの通水穴（7）の真下に位置する所に、通水チャンネル（13）が設けられることを特徴とする請求項１に記載の釜内における流体の流量を制御する新型機構。
【請求項３】
前記内釜排水口（3）、釜カバーの通水穴（7）及び通水チャンネル（13）が上から下へ順次連通されていることを特徴とする請求項１又は２の何れかに記載の釜内における流体の流量を制御する新型機構。
【請求項４】
前記バルブモジュール（5）の右側にバルブプッシュプル部品（14）が設けられ、前記操作レバー（12）が操作レバー可動穴（6）の一端に貫通されて且つバルブプッシュプル部品（14）に締め付けられて接続されることを特徴とする請求項１に記載の釜内における流体の流量を制御する新型機構。
【考案の詳細な説明】
【技術分野】
【０００１】
本考案は電気炊飯器の流量制御機構の技術分野に関し、特に釜内における流体の流量を制御する新型機構に関する。
【背景技術】
【０００２】
電気炊飯器は電気釜、炊飯器ともいう。電気エネルギーを内部エネルギーへ変換させる炊事器具であり、操作がしやすく、清潔且つ衛生であり、食品に対して蒸す、煮る、煮込む、とろ火で煮こむ等多くの操作機能が持っている。
【０００３】
最初から電気炊飯器の設計は極めて簡単であり、一つのボタンにより操作を行い、内釜はアルミの材質により作られたものである。その後、この機械式の電気炊飯器の外観とデザインも大きく変わって、元々真っ白の電気炊飯器の本体にプリント及びアニメの模様が現れてきた。機械式の電気炊飯器に続いて、マイコン式炊飯器が市場に出されて、ご飯を作る以外、予約、保温、メニュー選択など様々な機能を提供しており、一つの鍋により多くの機能を実現することができる。内釜の表面に非粘着材料を塗ることにより、炊飯する際に、ご飯が焦げたり、鍋にくっつくことを避けられる。電気炊飯器の釜カバーのデザインにも色々変わって、食品の水分や栄養をもっとよく保存可能になり、おいしくて、栄養も豊富である。
【０００４】
現在市販されている関連装置には何れもある程度、漏洩及び浸出現象が存在している。本製品はバルブモジュール付きの内釜及び操作レバー付きの釜カバーモジュールにより釜内における流体の流量をコントロールすると共に、内釜の漏洩と浸出問題を解決する。釜カバーモジュールにおける操作レバーを往復して移動させることにより、内釜におけるバルブの開閉をコントルールし、更に内釜排水口を開けさせたり、閉めさせることができ、釜内における流体の流量を制御する目的を実現する。
【考案の概要】
【考案が解決しようとする課題】
【０００５】
上記に言及した技術の不足に対して、本考案は釜内における流体の流量を制御する新型機構を提供することを目的とし、従来の技術で実現できない釜内における流体の流量制御及び内釜の漏洩と浸出問題を解決できるようになる。
【課題を解決するための手段】
【０００６】
以上の目的を実現するために、本考案の使用する技術的な解決方案は以下の通りである。
釜内における流体の流量を制御する新型機構であって、それは内釜と釜カバーを備え、前記内釜の底部にはエッジに近い所に、内釜排水口が設けられ、前記内釜には内釜排水口の底部に、バルブ取付溝が設けられ、前記バルブ取付溝の内部にバルブモジュールが取り付けられ、前記釜カバーの内部空洞の底部にはエッジに近い所に操作レバー可動穴が設けられ、前記操作レバー可動穴の右側に釜カバーの通水穴が設けられ、前記釜カバーの底部に中間仕切り板が設けられ、前記中間仕切り板の外壁且つ操作レバー可動穴の下側に位置する所にモータが設けられ、前記モータには中間仕切り板に位置する片側の出力軸の頂部に、歯車が設けられ、前記歯車にラックがかみ合い伝動され、前記ラックには釜カバーの内部空洞に位置する片側に操作レバーが固設されている。
【０００７】
好ましくは、前記中間仕切り板には釜カバーの通水穴の真下に位置する所に通水チャンネルが設けられる。
【０００８】
好ましくは、前記内釜排水口、釜カバーの通水穴と通水チャンネルが上から下へ順次連通されている。
【０００９】
好ましくは、前記バルブモジュールの右側にバルブプッシュプル部品が設けられ、前記操作レバーが操作レバー可動穴の一端に貫通されて且つバルブプッシュプル部品に締め付けされて接続される。
【考案の効果】
【００１０】
本考案は、釜内における流体の流量を制御する新型バルブ装置を提供し、有益な効果は以下の通りである。
【００１１】
（1）釜内における流体の流量を制御する新型機構であって、モータにより歯車を駆動させて、歯車によりラックを駆動させて、ラックにより操作レバーを駆動させて、操作レバーによりバルブプッシュプル部品を動かして内釜排水口のスイッチをコントロールし、操作レバーを往復して移動させることによりバルブを開けさせたり閉めさせたりして内釜排水口の開閉を実現し、釜内における流体の流量をコントロールする目的を達成する。
【図面の簡単な説明】
【００１２】
【図１】本考案における内釜の斜視図である。
【図２】本考案における内釜の底面図である。
【図３】本考案における釜カバーの斜視図である。
【図４】本考案における釜カバーの斜視図の底部の部分拡大図である。
【図５】本考案における中間仕切り板の構造図である。
【図６】本考案における中間仕切り板の部分拡大図である。
【図７】本考案におけるバルブが開く時を示す図である。
【図８】本考案におけるバルブが閉まる時を示す図である。
【考案を実施するための形態】
【００１３】
以下、本考案の実施例における図面と合わせて、本考案の実施例における技術手段について具体的に説明する。もちろん、以下説明する実施例は本考案の一部の実施例に過ぎなく、全部の実施例というわけではない。本考案の実施例に鑑みて、本技術分野の当業者が本考案の原理から逸脱しない前提において得たすべて他の実施例は、本考案の保護範囲に属する。
【００１４】
図面１−８をご参照ください。本考案の使用する技術的な解決方案は以下の通りである。釜内における流体の流量を制御する新型機構であって、それは内釜1と釜カバー2を備え、内釜1の底部にはエッジに近い所に、内釜排水口3が設けられ、内釜1には内釜排水口3の底部に位置する所に、バルブ取付溝4が設けられ、バルブ取付溝4の内部にバルブモジュール5が取り付けられ、釜カバー2の内部空洞の底部にはエッジに近い所に、操作レバー可動穴6が設けられ、操作レバー可動穴6の右側に釜カバーの通水穴7が設けられ、釜カバー2の底部に中間仕切り板8が設けられ、中間仕切り板8の外壁且つ操作レバー可動穴6の下側に位置する所に、モータ9が設けられ、モータ9には中間仕切り板8に位置する片側の出力軸の頂部に、歯車10が設けられ、歯車10にラック11がかみ合い伝動され、ラック11には釜カバーの内部空洞に位置する片側に操作レバーが固設され、中間仕切り板8には釜カバーの通水穴7の真下に位置する所に通水チャンネル13が設けられ、内釜排水口3、釜カバーの通水穴7と通水チャンネル13が上から下へ順次連通され、バルブモジュール5の右側にバルブプッシュプル部品14が設けられ、操作レバー12が操作レバー可動穴6の一端に貫通されて且つバルブプッシュプル部品14に締め付けられて接続されることにより、従来の技術で実現できない釜内における流体の流量制御及び内釜の漏洩と浸出問題を解決できるようになる。
【実施例】
【００１５】
使用する時、内釜が排水する際、まずモータ9を起動させて、モータ9が歯車10を介してラック11を往復して移動させ、ラック11により操作レバー12を移動させて、操作レバー12がプッシュプル部品14によりバルブモジュール5の開閉をコントロールし、液体が内釜排水口3、釜カバーの通水穴7及び通水チャンネル13を経て流れ出て、従来の技術で実現できない釜内における流体の流量制御及び内釜の漏洩と浸出問題を解決できるようになる。
【００１６】
説明すべきなのは、本明細書において、例えば第一及び第二のような関係用語は、一つの実体または操作を別の実体または操作と区分するために用いられるものであり、これらの実体又は操作の間に、いかなる実際の関係や順序が存在することを要求又は暗示していない。それに、専門用語の“含む”、“含有”またはそのいかなる他の変化は、非排他的な含有を網羅することを意味する、従って、一連の要素を含む過程、方法、物品または装置がそれらの要素を含むだけではなく、かつ明確に列挙されていないその他の要素をさらに含み、またはこの種類の過程、方法、物品または装置の固有の要素をさらに含んでいる。もっと多くに制限されない場合は、「一つの・・・限定要素を含む」といった文言により、要素を含む過程、方法、物品、又は装置に他の同じ要素が存在することを排除しない。
【００１７】
本明細書に具体的な個別事例を応用して本実用新案の原理及び実施方式を説明したが、本技術分野の当業者にとって、本発明の原理及び精神から逸脱しない前提において、さらにいくつかの改善、修正または変化を実施できる。本実用新案の保護範囲は添付の実用新案の請求範囲及びそれと同じものによって限定される。
【符号の説明】
【００１８】
1  内釜
2  釜カバー
3  内釜排水口
4  取付溝
5  バルブモジュール
6  操作レバー可動穴
7  釜カバーの通水穴
8  中間仕切り板
9  モータ
10  歯車
11  ラック
12  操作レバー
13  通水チャンネル
14  バルブプッシュプル部品
【図１】
0003220228.tif 000003
【図２】
0003220228.tif 000004
【図３】
0003220228.tif 000005
【図４】
0003220228.tif 000006
【図５】
0003220228.tif 000007
【図６】
0003220228.tif 000008
【図７】
0003220228.tif 000009
【図８】
0003220228.tif 000010